(57)【要約】【課題】  直管形のランプの落下を防止できるランプソケットを提供する。【解決手段】  直管形のランプ２１の端面に突設される１対のランプピン２２を下端に設けられた挿入口３３からランプ２１の軸方向に対して直交する方向に挿入される本体部３０を備え、ランプピン２２を挿入口２２から第１位置に直進案内する直進案内部と、該第１位置からランプピン２２が端子に接触した状態で支持される第２位置に回動案内する回動案内部と、を有してランプを装着するランプソケット１において、本体部３０に設けられてあり、第２位置に配されたランプピン２２の回動を規制する規制位置と、ランプピン２２の回動規制を解除する解除位置との間を所定の操作によって移動する規制部１０と、を備えた。【選択図】図６
2014149927.tif 000002
【特許請求の範囲】
【請求項１】
直管形のランプの端面に突設される１対のランプピンを下端に設けられた挿入口から前記ランプの軸方向に対して直交する方向に挿入される本体部を備え、前記ランプピンを前記挿入口から第１位置に直進案内する直進案内部と、該第１位置から前記ランプピンが端子に接触した状態で支持される第２位置に回動案内する回動案内部と、を有してランプを装着するランプソケットにおいて、
前記本体部に設けられてあり、第２位置に配された前記ランプピンの回動を規制する規制位置と、前記ランプピンの回動規制を解除する解除位置との間を所定の操作によって移動する規制部と、を備えたことを特徴とするランプソケット。
【請求項２】
前記規制部は、
前記軸方向及び前記ランプピンの直進案内方向に直交する方向に可動するとともに、
可動方向に並ぶ第１および第２陸部と、第１および第２陸部の間に形成され前記ランプピンが直進案内される溝部と、を有し、
第１陸部および第２陸部は前記可動方向に窪んだ形状であって、前記規制位置への移動とともに第２位置に配された前記ランプピンと嵌合する嵌合部が設けられてあることを特徴とする請求項１に記載のランプソケット。
【請求項３】
前記溝部の前記挿入口から離れた端面を第１位置の前記ランプピンの外側で覆って第１陸部と第２陸部とを連結する連結部を有することを特徴とする請求項２に記載のランプソケット。
【請求項４】
前記嵌合部の前記挿入口側の側壁が開口端に向かって前記挿入口から離れる方向に傾斜することを特徴とする請求項２または請求項３に記載のランプソケット。
【発明の詳細な説明】
【技術分野】
【０００１】
本発明は直管形ランプを装着するランプソケットに関する。
【背景技術】
【０００２】
従来のランプソケットは特許文献１に開示されている。このランプソケットは径方向に偏心するランプピンを端面に突設した直管形のランプが装着される。ランプソケットは照明器具に取り付けられる本体部と、本体部に取り付けられる回転子と、本体部の正面を覆うカバーとを備えている。
【０００３】
本体部はランプピンがランプの軸方向に対して直交する方向に挿入される挿入口を下端に開口する。本体部内には給電用の端子が設けられる。回転子は本体部に回転自在に支持され、挿入口から挿入されたランプピンを直進案内する案内溝が設けられる。カバーは本体部に係着して端子を含む配線を覆うとともに、回転子及び挿入口に面した開口部を有している。
【０００４】
挿入口から挿入されたランプピンは案内溝により直進案内され、カバーの開口部の端面に当接して第１位置に配される。第１位置に配されたランプピンは回転子の回転によって約９０゜回動案内され、端子に弾性接触して係止される第２位置に配される。これにより、ランプが保持される。
【先行技術文献】
【特許文献】
【０００５】
【特許文献１】特開２００２−３４３５１６号公報
【発明の概要】
【発明が解決しようとする課題】
【０００６】
近年、ＬＥＤ素子を複数並設した直管形のランプが普及してきている。ＬＥＤ素子は発熱量が大きいため、ランプの長手方向に延びる金属製のヒートシンクがＬＥＤ素子の背面に配される。この時、上記従来のランプソケットによると、天井に取り付けられた照明器具の振動等によってランプピンが第２位置からずれ、ヒートシンクの自重によってランプが回転子とともに回転する場合がある。これにより、ランプピンが第１位置に移動して案内溝及び挿入口を降下し、ランプが落下する危険があった。
【０００７】
本発明は直管形のランプの落下を防止できるランプソケットを提供することを目的とする。
【課題を解決するための手段】
【０００８】
上記目的を達成するために本発明は、直管形のランプの端面に突設される１対のランプピンを下端に設けられた挿入口から前記ランプの軸方向に対して直交する方向に挿入される本体部を備え、前記ランプピンを前記挿入口から第１位置に直進案内する直進案内部と、該第１位置から前記ランプピンが端子に接触した状態で支持される第２位置に回動案内する回動案内部と、を有してランプを装着するランプソケットにおいて、前記本体部に設けられてあり、第２位置に配された前記ランプピンの回動を規制する規制位置と、前記ランプピンの回動規制を解除する解除位置との間を所定の操作によって移動する規制部と、を備えたことを特徴とする。
【０００９】
また本発明は、上記構成のランプソケットにおいて、前記規制部は、前記軸方向及び前記ランプピンの直進案内方向に直交する方向に可動するとともに、可動方向に並ぶ第１および第２陸部と、第１および第２陸部の間に形成され前記ランプピンが直進案内される溝部と、を有し、第１陸部および第２陸部は前記可動方向に窪んだ形状であって、前記規制位置への移動とともに第２位置に配された前記ランプピンと嵌合する嵌合部が設けられてあることを特徴とする。
【００１０】
また本発明は、上記構成のランプソケットにおいて、前記溝部の前記挿入口から離れた端面を第１位置の前記ランプピンの外側で覆って第１陸部と第２陸部とを連結する連結部を有することを特徴とする。
【００１１】
また本発明は、上記構成のランプソケットにおいて、前記嵌合部の前記挿入口側の側壁が開口端に向かって前記挿入口から離れる方向に傾斜することを特徴とする。
【発明の効果】
【００１２】
本発明によると、第２位置に配されたランプピンの回動を規制する規制位置と、ランプピンの回動規制を解除する解除位置との間を所定の操作によって移動する規制部と、を備えたため、ランプピンが規制位置に配されると、ランプがランプソケットから落下することを防止することができる。
【図面の簡単な説明】
【００１３】
【図１】本発明の第１実施形態の照明装置を示す平面図
【図２】図１のＡ矢視図
【図３】図２のＢ−Ｂ線に沿った断面図
【図４】図２のカバーを取り外した図
【図５】図３のＣ−Ｃ線に沿った断面図
【図６】本発明の第１実施形態のランプソケットの規制部を示す斜視図
【図７】本発明の第１実施形態のランプソケットの要部を示す正面図
【図８】本発明の第１実施形態のランプソケットの要部を示す正面図
【図９】本発明の第２実施形態のランプソケットの規制部を示す正面図
【図１０】本発明の第３実施形態のランプソケットの要部を示す正面図
【発明を実施するための形態】
【００１４】
＜第１実施形態＞
以下に本発明の実施形態を図面を参照して説明する。図１は第１実施形態の照明装置５０の平面図を示している。図２は図１のＡ矢視図を示し、図３は図２のＢ−Ｂ断面図を示している。
【００１５】
照明装置５０は器具本体２０、ランプソケット１及びランプ２１を有している。器具本体２０は一方向に延びて形成され、天井などの設置面に固定される。ランプ２１は複数のＬＥＤ素子（不図示）を長手方向に並設した直管形に形成され、ランプソケット１に装着される。ＬＥＤ素子の背面にはランプの長手方向に延びる金属製のヒートシンク（不図示）が配される。ヒートシンクによってＬＥＤ素子の発熱が放熱される。ランプ２１の軸方向の両端面にはそれぞれ２本のランプピン２２が偏心して突設される。
【００１６】
ランプソケット１は器具本体２０に取り付けられる本体部３０と、本体部３０に取り付けられる回転子３１と、本体部３０の正面を覆うカバー３７とを備えている。図４は回転子３１及びカバー３７を取り外した状態のランプソケット１を示す正面図である。
【００１７】
図２〜図４において、本体部３０には前面を開口して周面の下端から上方に延びる挿入口３３が設けられる。挿入口３３からランプピン２２がランプ２１の軸方向に対して直交する方向に挿入される。本体部３０内には給電用の一対の端子３２が設けられる。端子３２は板状の弾性体によって上下方向に延びて形成され、ランプピン２２と接触することによりランプ２１に給電を行う。
【００１８】
カバー３７は本体部３０に係着して端子３２を含む配線を覆うとともに、開口部３７ａが設けられる。開口部３７ａはランプ２１と同心の円形部３７ｂと、円形部３７ｂに連続して挿入口３３に面した直線部３７ｃとを有した鍵穴状に形成される。
【００１９】
回転子３１は正面視円形に形成され、カバー３７の開口部３７ａに嵌合して矢印Ｘ方向に示すように回転自在に支持される。回転子３１には径方向に延びてランプピン２２を案内する案内溝３１ａが挿入口３３に連続して設けられる。回転子３１の案内溝３１ａの両側部は挿入口３３と反対側の端部で開口部３７ａよりも外周側で連結されている。尚、回転子３１は本体部３０に設けた係合爪（不図示）との係合によって案内溝３１ａを上下方向に配した位置及び水平方向に配した位置で係止される。
【００２０】
本体部３０には図４において、左側面を開口して水平方向に延びる挿通孔３５が回転子３１の回転中心上に設けられる。挿通孔３５は回転子３１に面して前面を露出し、図５に示すように回転子３１の外周側の左右の端部で前面を覆われる。図５は図４のＣ−Ｃ断面図を示している。挿通孔３５には正面視矩形の規制部１０が水平方向にスライド可能に挿入される。
【００２１】
ランプピン２２は挿入口３３から挿入され、挿入口３３及び案内溝３１ａにより直進案内される。そして、図２に示すようにランプピン２２はカバー３７の開口部３７ａの端面に当接する第１位置に配される。従って、挿入口３３及び案内溝３１ａによってランプピン２２を第１位置に直進案内する直進案内部が構成される。
【００２２】
第１位置に配されたランプピン２２は回転子３１の回転によって約９０゜回動案内される。そして、図７に示すようにランプピン２２は端子３２に弾性接触して係止される第２位置に配される。これにより、ランプ２１が保持される。従って、カバー３７の開口部３７ａ及び回転子３１によってランプピン２２を第１位置から第２位置に回動案内する回動案内部が構成される。
【００２３】
図６は規制部１０の斜視図を示している。規制部１０の一端には使用者が摘持して規制部１０をスライド移動させる操作部１１が設けられる。規制部１０の前面には右方から順に第１陸部１５、第３陸部１６、第２陸部１７、第４陸部１８が突設される。
【００２４】
第１陸部１５と第３陸部１６との間には第１溝部１２が形成される。第３陸部１６と第２陸部１７との間には第２溝部（溝部）１３が形成される。第２陸部１７と第４陸部１８との間には第３溝部１４が形成される。規制部１０の厚み幅ｄ１は各陸部の高さ幅ｄ２の約２倍に形成されている（図３参照）。
【００２５】
第２溝部１３は上下方向に延びる直線状に形成され、回転子３１の案内溝３１ａ（図２参照）により直進案内されるランプピン２２が通過する。第１、第３溝部１２、１４は内側の周壁が円弧状に形成され、第１位置から第２位置に回動案内されるランプピン２２が通過する。これにより、ランプピン２２と規制部１０との干渉が回避される。
【００２６】
第１陸部１５及び第２陸部１７には左方を窪んで開口する嵌合部１５ａ、１７ａがそれぞれ設けられる。なお、嵌合部１５ａ、１７ａは第１、第２陸部１５、１７に凹設して溝状に形成されるが、貫通孔であってもよい。
【００２７】
図７に示すように第２位置に配されたランプピン２２は規制部１０が図中、左方へスライドすることにより、図８に示すように嵌合部１５ａ、１７ａに嵌合する。これにより、ランプピン２２が回動規制される。また、ランプピン２２は図８に示す嵌合部１５ａ、１７ａに嵌合した状態から規制部１０が右方へスライドすることにより、図７に示すように嵌合部１５ａ、１７ａから脱落する。これにより、ランプピン２２の回動規制が解除される。
【００２８】
即ち、規制部１０は第２位置に配されたランプピン２２の回動を規制する規制位置（図８）と、ランプピン２２の回動規制を解除する解除位置（図７）との間を操作部１１の操作によって移動する。これにより、ヒートシンクを有するランプ２１が振動してヒートシンクの自重による回動が規制される。従って、ランプ２１の落下を防止することができる。
【００２９】
また、第１陸部１５の外壁と本体部３０の内壁との間にバネなどの弾性部材を設けて、水平方向に付勢してもよい。これにより、ランプピン２２の規制状態を容易に実現することができる。
【００３０】
本実施形態によると、第２位置に配されたランプピン２２の回動を規制する規制位置と、ランプピン２２の回動規制を解除する解除位置との間を所定の操作によって移動する規制部１０を備えたため、天井に取り付けられた照明器具５０の振動等によってランプピン２２が第２位置からずれることがなく、ランプ２１がランプソケット１から落下することを防止することができる。
【００３１】
また、規制部１０は、軸方向及びランプピン２２の直進案内方向に直交する方向に可動するとともに、可動方向に並ぶ第１陸部１５及び第２陸部１７と、第１陸部１５と第２陸部１７との間に形成されランプピン２２が直進案内される溝部１３（第２溝部）と、を有し、第１陸部１５および第２陸部１７は可動方向に窪んだ形状であって、規制位置への移動とともに第２位置に配されたランプピンと嵌合する嵌合部１５ａ、１７ａが設けられため、ランプピン２２の回動を規制する規制部１０を容易に実現することができる。
【００３２】
＜第２実施形態＞
次に、第２実施形態について説明する。本実施形態は規制部１０の形状が第１実施形態とは異なっている。その他の部分は第１実施形態と同様である。図９は本実施形態のランプソケット１の規制部１０の正面図を示している。説明の便宜上、第１実施形態と同様の部分には同一の符号を付している。
【００３３】
第１陸部１５の嵌合部１５ａの挿入口３３（図４参照）に近い側壁１５ｂは開口端に向かって挿入口３３から離れる方向に傾斜する。第１陸部１５の嵌合部１５ａの挿入口３３から離れた側壁１５ｃは開口端に向かって挿入口３３に近づく方向に傾斜する。
【００３４】
同様に、第２陸部１７の嵌合部１７ａの挿入口３３に近い側壁１７ｂは開口端に向かって挿入口３３から離れる方向に傾斜する。第２陸部１７の嵌合部１７ａの挿入口３３から離れた側壁１７ｃは開口端に向かって挿入口３３に近づく方向に傾斜する。
【００３５】
これにより、ランプソケット１の挿入口３３を下方に配した際に、規制位置でランプピン２２が嵌合部１５ａ、１７ａの傾斜した側壁１５ｃ、１７ｃで支持される。このため、振動等によってランプピン２２が規制部１０を解除位置に押し出しながら回動することを確実に防止できる。従って、ランプ２１の落下をより確実に防止することができる。
【００３６】
本実施形態によると、第１実施形態と同様の効果を奏することができる。また、嵌合部１５ａ、１７ｂの挿入口３３側の側壁１５ｂ、１７ｂが開口端に向かって挿入口３３から離れる方向に傾斜するため、ランプ２１の落下をより確実に防止することができる。
【００３７】
＜第３実施形態＞
次に、第３実施形態について説明する。本実施形態は規制部１０の形状が第１実施形態と異なっている。その他の部分は第１実施形態と同様である。図１０は本実施形態のランプソケット１の規制部１０の正面図を示している。
【００３８】
ランプソケット１の規制部１０は第１、第２、第３連結部２４、２５、２６を有している。第１連結部２４は第１溝部１２の挿入口３３側の端面を覆って第１陸部１５と第３陸部１６とを連結している。
【００３９】
第２連結部（連結部）２５は第２溝部１３の挿入口３３から離れた端面を第１位置のランプピン２２の外側で覆って第１陸部１５と第２陸部１７とを連結している。また、第３連結部２６は第３溝部１４の挿入口３３から離れた端面を覆って第２陸部１７と第４陸部１８とを連結する。
【００４０】
これにより、第１実施形態と異なり、規制部１０は第２連結部２５の幅ｄ３だけ大きくなり、回動案内部によるランプピン２２の回動案内方向が一方向となるが、規制部１０の厚みｄ１（図３参照）を小さくすることができる。
【００４１】
本実施形態によると、第１実施形態と同様の効果を奏することができる。また、第２溝部１３（溝部）の挿入口３３から離れた端面を第１位置のランプピン２２の外側で覆って第１陸部１５と第２陸部１７とを連結する連結部（第２連結部）２５を有するため、規制部１０の厚みｄ１（図３参照）を小さくすることができる。
【００４２】
第１〜第３実施形態において規制部１０がランプ２１の軸方向及び直進案内部によるランプピン２２の直進案内方向に対して垂直方向に可動に形成されるが、他の方向に可動する規制部を設けてもよい。即ち、直進案内部によるランプピン２２の直進案内方向に平行な方向に移動して規制位置でランプピン２２の周面に当接する規制部１０を設けてもよい。また、ランプ２１の軸方向に平行な方向に移動して規制位置でランプピン２２の周面に当接する規制部１０を設けてもよい。
【産業上の利用可能性】
【００４３】
本発明によると、直管形ランプを装着するランプソケットに利用することができる。
【符号の説明】
【００４４】
１      ランプソケット
１０    規制部
１１    操作部
１２    第１溝部
１３    第２溝部（溝部）
１４    第３溝部
１５    第１陸部
１５ａ  嵌合部
１６    第３陸部
１７    第２陸部
１７ａ  嵌合部
１８    第４陸部
２０    器具本体
２０ａ  下面
２１    ランプ
２２    ランプピン
２３    端子
２４    第１連結部
２５    第２連結部（連結部）
２６    第３連結部
３０    本体部
３１    回転子
３１ａ  案内溝
３２    端子
３３    挿入口
３５    挿通孔
３６    リブ
３７    カバー
３７ａ  開口部
３７ｂ  円形部
３７ｃ  直線部
５０    照明器具
【図１】
2014149927.tif 000003
【図２】
2014149927.tif 000004
【図３】
2014149927.tif 000005
【図４】
2014149927.tif 000006
【図５】
2014149927.tif 000007
【図６】
2014149927.tif 000008
【図７】
2014149927.tif 000009
【図８】
2014149927.tif 000010
【図９】
2014149927.tif 000011
【図１０】
2014149927.tif 000012